(57)【特許請求の範囲】
【請求項１】
公衆浴場施設における利用者間連絡装置において、男性専用エリアと女性専用エリアに離れて行動する利用者間で、該専用エリアを退出する予定時間の意思をペアの相手に送信し、受信した相手の退出する予定時間の意思に対する自分の賛否の意思を送信でき、返答された相手の賛否の意思を確認できることを、双方向にリアルタイムに行えることを特徴とする公衆浴場施設における利用者間連絡装置。
【請求項２】
請求項１に記載の公衆浴場施設における利用者間連絡装置において、無線通信機能を有し、防水機能を有し、退出する予定時間の意志をスイッチを押すことで送信できる機能を有し、同一ペアの相手によって送信された連絡内容を受信して光で表示できる機能を有し、受信したことを利用者に知らせる為に振動をする機能を有し、身体に装着するための腕輪もしくはバンドを有し、固有番号を有する携帯端末装置を備えること、を特徴とする公衆浴場施設における利用者間連絡装置。
【発明の詳細な説明】
【技術分野】
【０００１】この発明は、公衆浴場施設において男女ペアの利用者が男性専用エリア、女性専用エリアに分かれて行動をしている時に、男女間で、該専用エリアを退出する予定時間の意志を、相互に連絡し合い、相手の意思に対する賛否の意思を、双方向にリアルタイムに連絡し合え、待ち合わせ時間を合わすことができることを特徴とする、公衆浴場施設における利用者間連絡装置に関するものである。
【背景技術】
【０００２】公衆浴場施設は多くの趣向を凝らした入浴設備（サウナ、岩盤浴、露天風呂、薬草風呂など）を備えた施設が多くあり、入浴時間も長時間化している。一方、利用者は高齢者夫婦、家族、カップル、グループなど多種多様な人々が利用している。【０００３】しかしながら、多くの公衆浴場施設は、男性は男性専用エリア、女性は女性専用エリアを利用しなければならず、該専用エリアにいる間は、お互いが連絡を取り合う手段がないことから、待ち合わせにおいて、待ち合わせ場所で一方が長く待たされるなどの不便が生じていた。【０００４】このような問題を解決すべく、特開２０１２−２２７６６６号広報（特許文献１）に、「温泉、銭湯、スパ施設等において、男湯と女湯との間に設けられた通信システムであって、その通信手段が防水加工を施した特定小電力トランシーバーまたは赤外線トランシーバーであることを特徴とする男湯と女湯間の通信システム。（請求項１）」、【０００５】「すなわち本発明は、入浴者がそれぞれ防水加工を施した特定小電力トランシーバーまたは赤外線トランシーバーを持って浴場に入ることにより、温泉、銭湯、スパ施設等における、男湯と女湯という互いに隔絶された空間間の双方向通信を可能ならしめるものである。」という記載がある。【０００６】また、特開２００８−４０６３４号広報（特許文献２）に、「公衆浴場施設における利用者連絡システムであって、複数の利用者にグループコード又はこれに関連づけられたＩＤを担持させる情報担持手段と、前記グループコード又は前記ＩＤを取得することにより、前記公衆浴場内における所定の利用者の所在地コードを特定し、特定した前記所在地コードを前記所定の利用者と同一のグループに属する他の利用者に通知するグループ通知手段と、通知された前記所在地コードに関する情報を前記他の利用者に表示する表示手段とを備え、前記情報担持手段及び前記表示手段は、前記複数の利用者に対してそれぞれ装着可能に構成された装着具内に組み込まれていることを特徴とする利用者連絡システム（請求項１）」、【０００７】「本発明によれば、所定の利用者の所在地を当該グループに属する他の利用者に通知していることから、公衆浴場施設が男性専用の利用エリアと女性専用の利用エリアに分かれているために相互に連絡が取れない場合であっても、グループ内で所在地を互いに知らせ合うことが可能となる。」と言う記載がある。【０００８】また、特開２００７−２１３３３４号広報（特許文献３）に、「相手に伝言内容を伝達する伝言板システムにおいて、自分と相手をグループとして登録するグループ登録手段と、グループ登録手段で登録された相手に伝言内容を入力する伝言入力手段と、伝言入力手段により入力された伝言内容をグループに関連付けて記憶するグループ別伝言記憶手段と、関連付けられたグループを基にしてグループ別伝言記憶手段から伝言内容を抽出する伝言抽出手段と、抽出された伝言内容を出力する伝言出力手段と、を備えることを特徴とする伝言板システム（請求項１）」、【０００９】「風呂場から出るときに、例えば男性が風呂場内に設置されている伝言装置４０を用いて伝言を残す場合、図５に示す処理が実行される。最初に、男性が「１．鍵読取」部のＲＦＩＤ読取部２０２に鍵をかざすと、伝言装置４０は、ステップＳ１０を実行し、鍵に内蔵されているＲＦＩＤタグの番号である「０１２３」を読取り、正常に読みとれたことを示すＯＫ−ＬＥＤ２０４を点灯させる。次に、伝言装置４０は、ステップＳ１２において、ＲＦＩＤタグの「０１２３」を伝言サーバに送信し、グループ検索を実行させる。」という記載がある。
【先行技術文献】
【００１０】
【特許文献１】特開２０１２−２２７６６６号広報
【特許文献２】特開２００８−４０６３４号広報
【特許文献３】特開２００７−２１３３３４号広報
【発明の概要】
【発明が解決しようとする課題】
【００１１】しかしながら、特許文献１に記載された方法では、トランシーバーは大きさ、重量のある物を持ち込むものであり、身体に装着しないため紛失や落下による破損の可能性が高い。また、言語での通信であり他利用者に迷惑になる可能性がある。【００１２】特許文献２には、所在地を確認しあうものであり、該専用エリアの退出時間を連絡しあうものではない。また、自分の所在地を自動的に連絡するもので、自分の意思を連絡すするものではない。【００１３】特許文献３では、伝言装置（４０、６０）のある場所まで行かなければ伝言を入力できない、また、伝言を見る場合も伝言装置（４０、６０）のある場所まで行かなければ、伝言を見ることができない。【００１４】本発明は、以上のような欠点を無くすためになされたものである。
【課題を解決するための手段】
【００１５】以上のような問題を解決するために、公衆浴場施設における利用者間連絡装置において、男性専用エリアと女性専用エリアに離れて行動する利用者間で、該専用エリアを退出する予定時間の意思をペアの相手に送信し、受信した相手の退出する予定時間の意思に対する自分の賛否の意思を送信でき、返答された相手の賛否の意思を確認できることを、双方向にリアルタイムに行えることを特徴とする公衆浴場施設における利用者間連絡装置である【００１６】また、無線通信機能を有し、防水機能を有し、退出する予定時間の意志をスイッチを押すことで送信できる機能を有し、同一ペアの相手によって送信された連絡内容を受信して光で表示できる機能を有し、受信したことを利用者に知らせる為に振動をする機能を有し、身体に装着するための腕輪もしくはバンドを有し、固有番号を有する携帯端末装置を備えること、を特徴とする公衆浴場施設における利用者間連絡装置である。
【発明の効果】
【００１７】このように、本発明によれば、公衆浴場施設において男女ペア間で、該専用エリアを退出する予定時間の意志を、双方向にリアルタイムに知らせ合うことにより、待ち合わせ時間を合わすことが可能となる。【００１８】或いは、待たされる場合であっても、相手の退出する予定時間の意思を確認できることにより、イライラすることなく待つことができる。【００１９】また、最低限の連絡事項に留めることにより、該利用者の落ち着いた入浴を妨げることも無い。【００２０】さらに、声で確認する必要は無いので、他の公衆浴場施設利用者の迷惑となることも無い。
【図面の簡単な説明】
【００２１】
【図１】本発明の実施形態に係る公衆浴場施設における利用者間連絡装置の全体の構成を模式的に示す構成図である。
【図２】本発明の実施形態に係る管理装置の外観の一例を示す外観図である。
【図３】本発明の実施形態に係る携帯端末装置の外観の一例を示す外観図である。
【発明を実施するための形態】
【００２２】以下、添付図面を参照しながら、本発明の好ましい実施の形態について説明する。
【００２３】図１は、本発明の実施形態による公衆浴場施設における利用者間連絡装置の全体の構成を模式的に示す構成図である。
【００２４】図１に示すように、本実施形態による公衆浴場施設における利用者間連絡装置１０は、操作部２１０と、表示部２２０と、無線通信部２３０と、振動部２４０と、固有番号記録部２５０を有する利用者が身体に装着する携帯端末装置２００と、操作部１１０と、表示部１２０と、無線通信部１３０と、データベース部１４０と、読取部１５０を有する管理装置１００が、無線ネットワーク３００を介して相互に接続されている。
【００２５】図２は、管理装置１００の外観の一例を示す外観図である。管理装置１００は携帯端末装置２００の固有番号を読み取る読取部１５１と、ペア登録スイッチ１１１と、読取完了時に光る表示部１２１と、アンテナ１３１を有している。なお、無線通信部１３０と、データベース部１４０も備えられているが、これらは管理装置１００の内部に組み込まれているため、外観上はこれらを視認することはできない。
【００２６】図３は、携帯端末装置２００の外観の一例を示す外観図である。携帯端末装置２００は「作動中」と書かれたスイッチ２１１と、「１０分後」と書かれたスイッチ２１２と、「２０分後」と書かれたスイッチ２１３と、「出る」と書かれたスイッチ２１４と、「はい」と書かれたスイッチ２１５と、「いいえ」と書かれたスイッチ２１６を有している。また、「動作中」を示すランプ２２１と、「１０分後」を示すランプ２２２と、「２０分後」を示すランプ２２３と、「出る」を示すランプ２２４と、「はい」を示すランプ２２５と、「いいえ」を示すランプ２２６を有している。なお、携帯端末装置２００は無線通信部２３０と、振動部２４０と、固有番号記録部２５０も備えられているが、これらは携帯端末装置２００の内部に組み込まれているため、外観上はこれを視認することはできない。
【００２７】また、携帯端末装置２００のスイッチ２１１とランプ２２１はボタン番号２１１が、スイッチ２１２とランプ２２２はボタン番号２１２が、スイッチ２１３とランプ２２３はボタン番号２２３が、スイッチ２１４とランプ２２４はボタン番号２１４が、スイッチ２１５とランプ２２５はボタン番号２１５が、スイッチ２１６とランプ２２６はボタン番号２１６が内部的に割り当てられている。
【００２８】携帯端末装置２００は一つ一つに割り当てられた携帯端末装置固有番号があり、固有番号記録部２５０に記録されている。
【００２９】また、携帯端末装置２００は防水構造になっており、浴場設備の内部にも携帯し、使用できるようになっている。
【００３０】また、携帯端末装置２００は身体に装着して使用するため、腕輪２０１を備えている。
【００３１】本発明は、以上のような構造である。
【００３２】本発明を利用するときは、利用者の男女ペアが公衆浴場施設の受付で携帯端末装置２００を各自が受け取る。その際受付の担当者は人数分の携帯端末装置２００を集めて管理装置１００の読取部１５１の上に乗せ、ペア登録スイッチ１１１を押す。この操作により集められた携帯端末装置２００からそれぞれの携帯端末装置固有番号を読み取り、一つのペアとしてデータベース１４０に記録する。
【００３３】携帯端末装置２００を受け取った利用者は、男性は男性専用エリアである男湯、女性は女性専用エリアである女湯へ分かれて入る。その際、携帯端末装置２００を身体に装着する。
【００３４】例えば女性が女湯から出ようとする際、女性が２０分後に出ようと考え、自身の装着する携帯端末装置２００の「２０分後」と書かれたスイッチ２１３を押すと、携帯端末装置２００は自身の固有番号記録部２５０に記録されている携帯端末装置固有番号とボタン番号２１３を送信する。
【００３５】アンテナ１３１を通じて携帯端末装置固有番号とボタン番号２１３を受信した管理装置１００は、データベース部１４０より、受信した携帯端末装置固有番号のペアの相手の携帯端末装置固有番号を抽出する。
【００３６】管理装置１００はデータベース部１４０より抽出した携帯端末装置固有番号とボタン番号２１３を、アンテナ１３１を通じて送信する。
【００３７】管理装置１００より送信された携帯端末装置固有番号とボタン番号２１３を受信した携帯端末装置２００は、受信した携帯端末装置固有番号と自身の固有番号記録部２５０に記録されている携帯端末装置固有番号を比較し、一致しなかった携帯端末装置２００は何もしない。
【００３８】管理装置１００より受信した携帯端末装置固有番号と自身の固有番号記録部２５０に記録されている携帯端末装置固有番号が一致した携帯端末装置２００は、同時に受信したボタン番号２１３と同じ番号のランプ２２３を光らせる。さらに、振動部２４０によって５秒から１０秒間振動する。
【００３９】これにより、管理装置１００より受信した携帯端末装置固有番号と自身の固有番号記録部２５０に記録されている携帯端末装置固有番号が一致した携帯端末装置２００を装着した男性は、相手の女性が２０分後に女湯を出る意思があることを認識できる。
【００４０】相手の女性が２０分後に女湯を出る意思があることを認識した男性が、その意思に賛同した場合、自身の携帯端末装置２００の「はい」と書かれたスイッチ２１５を押すと、携帯端末装置２００は自身の固有番号記録部２５０に記録されている携帯端末装置固有番号とボタン番号２１５を送信する。
【００４１】アンテナ１３１を通じて携帯端末装置固有番号とボタン番号２１５を受信した管理装置１００は、データベース部１４０より、受信した携帯端末装置固有番号のペアの相手の携帯端末装置固有番号を抽出する。
【００４２】管理装置１００はデータベース部１４０より抽出した携帯端末装置固有番号とボタン番号２１３をアンテナ１３１を通じて送信する。
【００４３】管理装置１００より送信された携帯端末装置固有番号とボタン番号２１５を受信した携帯端末装置２００は、受信した携帯端末装置固有番号と自身の固有番号記録部２５０に記録されている携帯端末装置固有番号を比較し、一致しなかった携帯端末装置２００は何もしない。
【００４４】管理装置１００より受信した携帯端末装置固有番号と自身の固有番号記録部２５０に記録されている携帯端末装置固有番号が一致した携帯端末装置２００は、同時に受信したボタン番号２１５と同じ番号のランプ２１５を光らせる。さらに、振動部２４０によって５秒から１０秒間振動する。
【００４５】これにより、管理装置１００より受信した携帯端末装置固有番号と自身の固有番号記録部２５０に記録されている携帯端末装置固有番号が一致した携帯端末装置２００を装着した女性は、相手の男性が自分の意思に賛同したことを認識することができる。
【００４６】これにより、男女とも同時に男湯、女湯を出て待ち合わせることができ、どちらか一方が長く待たされることがなくなる。
【００４７】或いは、相手が何分後に出る意思があるかを認識できることで、イライラすること無く待つことができる。
【００４８】以上、本発明の好ましい実施形態について説明したが、本発明は、上記の実施形態に限定されることなく、本発明の主旨を逸脱しない範囲で種々の変更が可能であり、それらも本発明の範囲内に包含される。
【００４９】例えば、携帯端末装置２００の各スイッチの表記は「作動中」、「１０分後」、「２０分後」、「出る」、「はい」、「いいえ」に限定されるものではなく「１５分後」、「３０分後」、「ＹＥＳ」、「ＮＯ」などでも良い。
【００５０】また、携帯端末装置２００の各ランプはスイッチ一体にして、スイッチ自体が光って見えるようにしても良い。
【００５１】また、携帯端末装置２００は身体に装着できるように腕輪２０１を備えているが、腕時計のような大きさを調節できるバンドでも良い。
【００５２】また、管理装置１００のアンテナ１３１は一つでなく複数備えていて、脱衣室や男湯や女湯や露天風呂などに備えても良い。
【符号の説明】
【００５３】１０    公衆浴場施設における利用者間連絡装置
１００  管理装置
１１０  操作部
１１１  ペア登録ボタン
１２０  表示部
１２１  ペア登録完了ランプ
１３０  無線通信部
１３１  アンテナ
１４０  データベース部
１５０  読取部
１５１  携帯端末装置固有番号読取部
２００  携帯端末装置
２０１  腕輪
２１０  操作部
２１１  「作動中」スイッチ
２１２  「１０分後」スイッチ
２１３  「２０分後」スイッチ
２１４  「出る」スイッチ
２１５  「ハイ」スイッチ
２１６  「いいえ」スイッチ
２２０  表示部
２２１  「作動中」ランプ
２２２  「１０分後」ランプ
２２３  「２０分後」ランプ
２２４  「出る」ランプ
２２５  「はい」ランプ
２２６  「いいえ」ランプ
２３０  無線通信部
２４０  振動部
２５０  固有番号記録部
３００  無線ネットワーク
【図１】
0006455796.tif 000002
【図２】
0006455796.tif 000003
【図３】
0006455796.tif 000004